(57)【特許請求の範囲】
【請求項１】
車両に搭載された熱負荷（２、６０２）と、
熱輸送媒体が循環する一次系統（３）であって、前記熱負荷と前記熱輸送媒体とを熱交換させる熱負荷用熱交換器（３１）、および外気と前記熱輸送媒体とを熱交換させる外気用熱交換器（３２）を備える一次系統（３）と、
前記熱輸送媒体と熱交換する高温側熱交換器（４２）、および前記熱輸送媒体と熱交換する低温側熱交換器（４４）と、
前記高温側熱交換器と前記低温側熱交換器との間に温度差を提供する冷熱機器（４、５０４）とを備え、
前記一次系統は、前記高温側熱交換器により加熱された前記熱輸送媒体を前記熱負荷用熱交換器へ供給する運転状態と、前記低温側熱交換器により冷却された前記熱輸送媒体を前記熱負荷用熱交換器へ供給する運転状態とを切換える切換装置（３３）を備え、
前記高温側熱交換器（４２）は、前記一次系統における前記熱負荷用熱交換器（３１）の一方に設けられ、
前記低温側熱交換器（４４）は、前記一次系統における前記熱負荷用熱交換器（３１）の他方に設けられ、
前記切換装置は、前記熱輸送媒体の循環方向を前記低温側熱交換器（４４）から前記熱負荷用熱交換器（３１）へ前記熱輸送媒体が流れる第１方向と、この第１方向とは反対の前記高温側熱交換器（４２）から前記熱負荷用熱交換器（３１）へ前記熱輸送媒体が流れる第２方向とに切換え、
前記冷熱機器（４）は、電動型の圧縮機（４１）を備え、前記高温側熱交換器（４２）を放熱器とし、前記低温側熱交換器（４４）を蒸発器とする蒸気圧縮式の冷凍サイクルであり、
さらに、前記圧縮機を停止または作動させるとともに、前記熱輸送媒体の循環方向を切換えるように前記切換装置を制御する制御装置（５）を備え、
前記制御装置は、
前記圧縮機を作動させるとともに、前記熱輸送媒体の循環方向を前記低温側熱交換器（４４）から前記熱負荷用熱交換器（３１）へ前記熱輸送媒体が流れる前記第１方向とするように前記切換装置を制御することにより、前記冷凍サイクルにより前記熱負荷を冷却する冷却運転と、
前記圧縮機を作動させるとともに、前記熱輸送媒体の循環方向を前記高温側熱交換器（４２）から前記熱負荷用熱交換器（３１）へ前記熱輸送媒体が流れる前記第２方向とするように前記切換装置を制御することにより、前記冷凍サイクルにより前記熱負荷を加熱する加熱運転とを提供することを特徴とする車両用温度調節装置。
【請求項２】
前記制御装置は、さらに、
前記圧縮機を停止させるとともに、前記熱輸送媒体の循環方向を前記第１方向または前記第２方向とするように前記切換装置を制御することにより、前記熱負荷の熱を前記一次系統によって外気へ放熱する放熱運転を提供することを特徴とする請求項１に記載の車両用温度調節装置。
【請求項３】
前記熱負荷と前記冷熱機器とは、一体のユニットとして車両に搭載可能に構成されていることを特徴とする請求項１または請求項２に記載の車両用温度調節装置。
【請求項４】
前記熱負荷は、車両の走行用の電動機に給電する電池（２）であることを特徴とする請求項１から請求項３のいずれかに記載の車両用温度調節装置。
【請求項５】
前記熱負荷は、空調装置（６０２）であることを特徴とする請求項１から請求項４のいずれかに記載の車両用温度調節装置。
【請求項６】
前記一次系統は、前記外気用熱交換器（３２）または前記熱負荷用熱交換器（３１）を通過する前記熱輸送媒体の流量を調節する流量制御装置（３６）を備えることを特徴とする請求項１から請求項５のいずれかに記載の車両用温度調節装置。
【請求項７】
さらに、前記熱輸送媒体を加熱する熱源装置（３７）を備えることを特徴とする請求項１から請求項６のいずれかに記載の車両用温度調節装置。
【発明の詳細な説明】
【技術分野】
【０００１】
本発明は、冷凍サイクルなどの冷熱機器によって車両の熱負荷の温度を調節する車両用温度調節装置に関する。
【背景技術】
【０００２】
特許文献１、特許文献２、および特許文献３は、車両の室内および車両に搭載された電池の温度を調節する車両用温度調節装置を開示している。
【先行技術文献】
【特許文献】
【０００３】
【特許文献１】特許第３１４９４９３号
【特許文献２】特開２００２−３５２８６７号公報
【特許文献３】特開２０１０−６４６５１号公報
【発明の概要】
【発明が解決しようとする課題】
【０００４】
特許文献１は、電池を空気、または冷却水によって冷却する装置を開示している。さらに、この文献には、電池を冷却するための空気または冷却水を、冷凍サイクルなどの熱機器によって冷却する装置も開示されている。
【０００５】
しかし、特許文献１の装置では、車両の外部の空気と電池との間の熱交換を実現するために、冷却水用の熱交換器と、冷凍サイクルの熱交換器、すなわち凝縮器とを、車両の外部の空気と熱交換するように車両に搭載する必要があった。このため、温度調節装置としての構成が複雑化するという問題点があった。また、車両に２つの外気用熱交換器を搭載する必要があるという問題点があった。
【０００６】
特許文献２も、電池を冷却するための冷却水回路と、冷凍サイクルとを備える温度調節装置を開示している。しかし、この構成でも、冷却水用の熱交換器と、冷凍サイクルの凝縮器とを設ける必要があった。
【０００７】
特許文献３も、電池を冷却するための冷却水回路と、冷凍サイクルとを備える温度調節装置を開示している。この構成では、電池を冷却する冷却水は、冷凍サイクルだけと熱交換するように構成されている。このため、車両には、冷凍サイクルの凝縮器だけが設けられる。しかし、この構成では、電池の温度を調節するためには、必ず冷凍サイクルを運転する必要がある。
【０００８】
本発明は上記問題点に鑑みてなされたものであり、その目的は、車両への搭載が容易な、簡単な構成の車両用温度調節装置を提供することである。
【０００９】
本発明の他の目的は、単一の外気用熱交換器を備える車両用温度調節装置を提供することである。
【００１０】
本発明のさらに他の目的は、簡単な構成によって車両の熱負荷を加熱および冷却することができる車両用温度調節装置を提供することである。
【課題を解決するための手段】
【００１１】
本発明は上記目的を達成するために以下の技術的手段を採用する。
【００１２】
請求項１に記載の発明は、車両に搭載された熱負荷（２、６０２）と、熱輸送媒体が循環する一次系統（３）であって、熱負荷と熱輸送媒体とを熱交換させる熱負荷用熱交換器（３１）、および外気と熱輸送媒体とを熱交換させる外気用熱交換器（３２）を備える一次系統（３）と、熱輸送媒体と熱交換する高温側熱交換器（４２）、および熱輸送媒体と熱交換する低温側熱交換器（４４）とを備え、高温側熱交換器と低温側熱交換器との間に温度差を提供する冷熱機器（４、５０４）とを備え、一次系統は、高温側熱交換器により加熱された熱輸送媒体を熱負荷用熱交換器へ供給する運転状態と、低温側熱交換器により冷却された熱輸送媒体を熱負荷用熱交換器へ供給する運転状態とを切換える切換装置（３３）を備え、高温側熱交換器（４２）は、一次系統における熱負荷用熱交換器（３１）の一方に設けられ、低温側熱交換器（４４）は、一次系統における熱負荷用熱交換器（３１）の他方に設けられ、切換装置は、熱輸送媒体の循環方向を低温側熱交換器（４４）から熱負荷用熱交換器（３１）へ熱輸送媒体が流れる第１方向と、第１方向とは反対の高温側熱交換器（４２）から熱負荷用熱交換器（３１）へ熱輸送媒体が流れる第２方向とに切換え、冷熱機器（４）は、電動型の圧縮機（４１）を備え、高温側熱交換器（４２）を放熱器とし、低温側熱交換器（４４）を蒸発器とする蒸気圧縮式の冷凍サイクルであり、さらに、圧縮機を停止または作動させるとともに、熱輸送媒体の循環方向を切換えるように切換装置を制御する制御装置（５）を備え、制御装置は、圧縮機を作動させるとともに、熱輸送媒体の循環方向を低温側熱交換器（４４）から熱負荷用熱交換器（３１）へ熱輸送媒体が流れる第１方向とするように切換装置を制御することにより、冷凍サイクルにより熱負荷を冷却する冷却運転と、圧縮機を作動させるとともに、熱輸送媒体の循環方向を高温側熱交換器（４２）から熱負荷用熱交換器（３１）へ熱輸送媒体が流れる第２方向とするように切換装置を制御することにより、冷凍サイクルにより熱負荷を加熱する加熱運転とを提供することを特徴とする。
【００１３】
この構成によると、一次系統によって熱負荷の熱を外気へ放熱することができる。さらに、冷熱機器によって熱輸送媒体を加熱、または冷却することができるから、冷熱機器は一次系統を介して熱負荷の温度を調節することができる。しかも、冷熱機器は、その高温側熱交換器と低温側熱交換器との両方が一次系統と熱的に結合されている。このため、外気との熱交換を提供する熱交換器は、一次系統の外気用熱交換器だけである。したがって、簡単な構成の車両用温度調節装置が提供される。この構成によると、高温側熱交換器により加熱された熱輸送媒体、または低温側熱交換器により冷却された熱輸送媒体が、熱負荷用熱交換器へ供給される。この結果、熱負荷の冷却と、熱負荷の加熱とを切換えることができる。この構成によると、一次系統を循環する熱輸送媒体の流れ方向を切換えることにより、熱負荷の冷却と、熱負荷の加熱とを切換えることができる。この構成によると、一次系統における熱輸送媒体の循環方向の切換えによって、熱負荷の冷却と、熱負荷の加熱とが可能となる。
【００１７】
請求項２に記載の発明は、制御装置は、さらに、圧縮機を停止させるとともに、熱輸送媒体の循環方向を第１方向または第２方向とするように切換装置を制御することにより、熱負荷の熱を一次系統によって外気へ放熱する放熱運転を提供することを特徴とする。この構成によると、一次系統における熱輸送媒体の循環方向の切換えと、冷凍サイクルの停止／作動の切換えとによって、３つの運転状態を提供することができる。
【００１８】
請求項３に記載の発明は、熱負荷と冷熱機器とは、一体のユニットとして車両に搭載可能に構成されていることを特徴とする。この構成によると、熱負荷の温度を調節するための冷熱機器が、熱負荷と一体のユニットとして構成される。このため、熱負荷と冷熱機器とを、ユニットとして車両に搭載することができる。
【００１９】
請求項４に記載の発明は、熱負荷は、車両の走行用の電動機に給電する電池（２）であることを特徴とする。この構成によると、車両の走行用の電動機に給電する電池の温度を調節することができる。
【００２０】
請求項５に記載の発明は、熱負荷は、空調装置（６０２）であることを特徴とする。この構成によると、車両の室内の温度を調節することができる。
【００２１】
請求項６に記載の発明は、一次系統は、外気用熱交換器（３２）または熱負荷用熱交換器（３１）を通過する熱輸送媒体の流量を調節する流量制御装置（３６）を備えることを特徴とする。この構成によると、外気用熱交換器または熱負荷用熱交換器（３１）を通過する熱輸送媒体の流量が調節される。この結果、外気と熱輸送媒体との間の熱交換量、または熱負荷と熱輸送媒体との間の熱交換量を調節することができる。
【００２２】
請求項７に記載の発明は、さらに、熱輸送媒体を加熱する熱源装置（３７）を備えることを特徴とする。この構成によると、熱源装置によって電池を加熱することができる。
【００２３】
なお、特許請求の範囲および上記手段の項に記載した括弧内の符号は、ひとつの態様として後述する実施形態に記載の具体的手段との対応関係を示すものであって、本発明の技術的範囲を限定するものではない。
【図面の簡単な説明】
【００２４】
【図１】本発明を適用した第１実施形態に係る車両用温度調節装置を示すブロック図である。
【図２】第１実施形態の作動状態を示すブロック図である。
【図３】第１実施形態の作動状態を示すブロック図である。
【図４】第１実施形態の作動状態を示すブロック図である。
【図５】第１実施形態の作動状態を示すブロック図である。
【図６】第１実施形態の作動状態を示すブロック図である。
【図７】本発明を適用した第２実施形態に係る車両用温度調節装置を示すブロック図である。
【図８】本発明を適用した第３実施形態に係る車両用温度調節装置を示すブロック図である。
【図９】本発明を適用した第４実施形態に係る車両用温度調節装置を示すブロック図である。
【図１０】本発明を適用した第５実施形態に係る車両用温度調節装置を示すブロック図である。
【図１１】本発明を適用した第５実施形態に係る車両用温度調節装置を示すブロック図である。
【発明を実施するための形態】
【００２５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。また、後続の実施形態においては、先行する実施形態で説明した事項に対応する部分に百の位だけが異なる参照符号を付加することにより対応関係を示し、重複する説明を省略する場合がある。各実施形態で具体的に組合せが可能であることを明示している部分同士の組合せばかりではなく、特に組合せに支障が生じなければ、明示してなくとも実施形態同士を部分的に組み合せることも可能である。
【００２６】
（第１実施形態）
図１は、本発明を適用した第１実施形態に係る車両用温度調節装置１を示すブロック図である。車両用温度調節装置１は、車両における熱負荷である電池（ＢＡＴＴ）２の温度を冷凍サイクルなどの冷熱機器によって調節する。熱負荷は、電池２である。電池２は、車両の走行用の電動機に給電する二次電池である。電池２は、リチウムイオン電池などによって提供することができる。電池２は数百ボルトの出力を供給する。
【００２７】
車両用温度調節装置１は、電池２と熱交換するための熱輸送媒体が循環する一次系統３を有する。熱輸送媒体は、不凍液入りの冷却水である。一次系統３は、冷却水サイクルとも呼ばれる。一次系統３は、熱負荷用の熱交換器３１、外気用の熱交換器３２、および双方向型の電動のポンプ３３を備える。一次系統３は、熱交換器３１、熱交換器３２、およびポンプ３３を直列接続した冷却水の循環路３４を構成する。熱負荷用の熱交換器３１は、電池２と冷却水との間の熱交換を可能とする。外気用の熱交換器３２は、車両の外部の空気と冷却水との間の熱交換を可能とする。外気用の熱交換器３２は、車両用温度調節装置１における唯一の外気用熱交換器である。熱交換器３２の近傍には、熱交換器３２を通過するように外気を流す送風機３２ａを設けることができる。熱交換器３２は、ラジエータとも呼ばれる。ポンプ３３は、一次系統３内に冷却水を循環させる。ポンプ３３は、冷却水の循環方向を、第１方向と、第１方向とは反対の第２方向とに切換え可能である。ポンプ３３は、モータの回転方向を切換えることにより送水方向を切換える逆転型のポンプによって提供することができる。ポンプ３３は、熱輸送媒体の循環方向を切換える切換装置を提供する。
【００２８】
一次系統３は、電池２と外気との間の熱交換を提供する。一次系統３は、電池２から外気への放熱を主として提供する。一次系統３は、熱的な条件が満たされると、外気から電池２への熱の移動、すなわち電池２の加熱を行う場合がある。
【００２９】
一次系統３は、熱交換器３２をバイパスして冷却水を流すためのバイパス通路３５を備える。バイパス通路３５は、熱交換器３２と並列に設けられている。バイパス通路３５と循環路３４とは、分岐部によって接続されている。一方の分岐部には、三方弁３６が設けられている。三方弁３６は、冷却水の流路を、熱交換器３２だけを通過する流路と、バイパス通路３５だけを通過する流路とに、少なくとも切換えることができる。さらに、三方弁３６は、熱交換器３２を通過する流量と、バイパス通路３５を通過する流量との比を調節することができる。三方弁３６は、外気用の熱交換器３２を通過する冷却水の流量を調節する流量制御装置を提供する。三方弁３６により、外気と冷却水との間の熱交換量が調節される。バイパス通路３５には、補助的な熱源装置３７が設けられている。熱源装置３７は、ＰＴＣ（Positive Temperature Coefficient）ヒータである。熱源装置３７は、通電されると、バイパス通路３５を流れる冷却水を加熱することができる。
【００３０】
車両用温度調節装置１は、一次系統３だけと熱的に結合された二次系統４を有する。二次系統４は、高温側の熱交換器４２と低温側の熱交換器４４とを有し、それら熱交換器４２、４４の間に温度差を作り出す装置を含む。二次系統４は、冷熱機器４によって提供される。二次系統４は、冷凍機器とも呼ぶことができる。高温側の熱交換器４２は一次系統３の冷却水とだけ熱交換する。低温側の熱交換器４４は一次系統３の冷却水とだけ熱交換する。高温側の熱交換器４２と低温側の熱交換器４４とは、それらの両方が、一次系統３と熱的に結合している。
【００３１】
冷熱機器４は、蒸気圧縮式の冷凍サイクルである。冷熱機器４は、圧縮機４１、放熱器４２、減圧器４３、および蒸発器４４を備える。圧縮機４１は、電動型の圧縮機である。圧縮機４１は、蒸発器４４から出た低圧冷媒を圧縮し、放熱器４２に高圧冷媒を供給する。放熱器４２は、高圧冷媒の熱によって冷却水を暖める。放熱器４２は、一次系統３と二次系統４との間の熱交換を提供する第１の熱交換器である。放熱器４２は、高温側の熱交換器４２とも呼ばれる。放熱器４２は、冷却水と冷媒との間の熱交換を提供するから、水−冷媒熱交換器とも呼ぶことができる。凝縮性の冷媒が用いられる場合、放熱器４２は、凝縮器とも呼ばれる。減圧器４３は、放熱器４２から出た高圧冷媒を減圧する。蒸発器４４は、減圧器４３によって減圧された冷媒を蒸発させる。蒸発器４４は、冷媒の蒸発によって冷却水を冷却する。蒸発器４４は、一次系統３と二次系統４との間の熱交換を提供する第２の熱交換器である。蒸発器４４は、低温側の熱交換器４４とも呼ばれる。蒸発器４４は、冷却水と冷媒との間の熱交換を提供するから、水−冷媒熱交換器とも呼ぶことができる。
【００３２】
熱交換器４２は、一次系統３における熱交換器３１の一方に設けられている。言い換えると、熱交換器４２は、熱交換器３１と熱交換器３２との間の２つの通路のうちの一方の通路に設けられている。熱交換器４４は、一次系統３における熱交換器３１の他方に設けられている。言い換えると、熱交換器４４は、熱交換器３１と熱交換器３２との間の２つの通路のうちの他方の通路に設けられている。この構成では、一次系統３における熱交換器４４と熱交換器３１との位置は、ポンプ３３が冷却水を第１方向に流すときに、熱交換器４４から熱交換器３１へ冷却水が流れるように設定されている。また、一次系統３における熱交換器４２と熱交換器３１との位置は、ポンプ３３が冷却水を第２方向に流すときに、熱交換器４２から熱交換器３１へ冷却水が流れるように設定されている。
【００３３】
車両用温度調節装置１は、制御装置（ＣＮＴＬ）５を備える。制御装置５は、コンピュータによって読み取り可能な記憶媒体を備えるマイクロコンピュータによって提供される。記憶媒体は、コンピュータによって読み取り可能なプログラムを格納している。記憶媒体は、メモリによって提供されうる。プログラムは、制御装置５によって実行されることによって、制御装置５をこの明細書に記載される装置として機能させ、この明細書に記載される制御方法を実行するように制御装置５を機能させる。制御装置５が提供する手段は、所定の機能を達成する機能的ブロック、またはモジュールとも呼ぶことができる。
【００３４】
制御装置５は、電気的に制御可能な機器、例えばポンプ３３、圧縮機４１、および三方弁３６を制御する。制御装置５は、車両用温度調節装置１の温度情報、例えば電池２の温度、および外気の温度に応じて、電池２の温度を目標温度に一致させるように機器を制御する。目標温度は、電池２が所定の機能を発揮するために望ましい温度帯として設定することができる。制御装置５は、電池２の温度が目標温度より高いとき、冷却運転を実行するように機器を制御する。冷却運転においては、電池２が冷却される。電池２を冷却するための熱的な負荷が大きくなるにしたがって、第１の冷却運転、または第２の冷却運転が実行される。制御装置５は、電池２の温度が目標温度より低いとき、加熱運転を実行するように機器を制御する。加熱運転においては、電池２が加熱される。電池２を加熱するための熱的な負荷が大きくなるにしたがって、第１の加熱運転、第２の加熱運転、または第３の加熱運転が実行される。加熱運転は、暖機運転とも呼ぶことができる。
【００３５】
車両用温度調節装置１は、熱負荷である電池２を含む主ユニット６と、主ユニット６から離れて車両に搭載された熱交換器ユニット７とを備える。主ユニット６は、少なくとも電池２と冷熱機器４とを一体の機器として取り扱うことができるように、かつそれらを一体のユニットとして車両に搭載することができるように組み合わせた装置である。主ユニット６は、負荷ユニット６、または電池ユニット６とも呼ばれる。主ユニット６は、少なくとも電池２と、冷熱機器４とを、共通のシャーシに搭載するか、または共通の容器に収容して構成されている。主ユニット６は、さらにポンプ３３、バイパス通路３５、三方弁３６、熱源装置３７、および制御装置５を含む。主ユニット６は、電池２のための複数の端子と、電池２および制御装置５のための制御信号端子と、制御装置５および電動ポンプ３３などの低電圧機器のための電源端子とを備えることができる。なお、主ユニット６に降圧型電源装置を設けて、電池２から制御装置５、ポンプ３３、および圧縮機４１などに電力を供給してもよい。
【００３６】
主ユニット６は、車両の後部など適切な位置に設置されている。熱交換器ユニット７は、熱交換器３２に外気を供給するために有利な位置、例えば車両の前部に設置されている。車両用温度調節装置１における外気との熱交換は、熱交換器３２だけが提供する。
【００３７】
主ユニット６は、車両用温度調節装置１の取り扱いを容易にする。また、この構成によると、車両への搭載作業が容易になる。主ユニット６には、電池２の温度を調節するための主要な構成要素の多くが含まれる。このため、温度調節機能付きの電池２を提供することができる。また、利用者などは、主ユニット６の内部構造、あるいは個々の部品の性能に過剰に注意を払うことなく、温度調節機能付きの電池を入手し、利用することができる。
【００３８】
電池２の温度は、電池２が使用されると上昇する。例えば、電池２への充電、または電池２からの放電によって電池２の温度が上昇する。このため、電池２の温度が望ましい温度帯を上回ると、電池２の温度を低下させるために、電池２を冷却する必要がある。一方、外気温度が低いときに車両の運転を開始する場合、電池２の温度も外気温度とほぼ等しくなっている。このような場合、電池２の温度は、望ましい温度帯を下回ることがある。このため、電池２が自己発熱によって望ましい温度帯に到達する前の期間において、電池２を暖機する必要がある。そこで制御装置５は、冷却運転と加熱運転とを提供するように、車両用温度調節装置１の機器を制御する。
【００３９】
図２は、第１実施形態の作動状態を示すブロック図である。図中には、各部の温度が例示されている。なお、図中における温度は発明者らが想定した一例である。制御装置５は、外気の温度が電池２を十分に冷却することができる第１温度帯にあるとき、第１の冷却運転を実行する。第１の冷却運転は、電池２からの熱の放出を促進するだけである。よって、この運転状態は、放熱運転とも呼ばれる。制御装置５は、圧縮機４１を停止させることによって冷熱機器４を停止させるとともに、ポンプ３３をいずれかの方向に回転させる。この実施形態では、ポンプ３３は、第１方向に回転する。冷却水は熱交換器３２に導かれ、外気によって冷却される。外気によって冷却された冷却水は、熱交換器３１に供給される。この結果、電池２の熱は、一次系統３だけによって外気に放熱され、電池２の過剰な温度上昇が回避される。
【００４０】
図３は、第１実施形態の作動状態を示すブロック図である。図中には、各部の温度が例示されている。制御装置５は、外気の温度が電池２を十分に冷却できない第２温度帯にあるとき、第２の冷却運転を実行する。例えば、外気温度が３０°Ｃであるとき、上述の放熱運転では電池２の温度上昇を阻止できない。制御装置５は、圧縮機４１を作動させることによって冷熱機器４を作動させるとともに、ポンプ３３を第１方向に回転させる。冷却水の循環方向は、冷却水が熱交換器３１、放熱器４２、熱交換器３２、蒸発器４４の順に流れる第１方向である。このとき、熱交換器３１から出た冷却水は、放熱器４２によってさらに加熱された後に、熱交換器３２に供給される。熱交換器３２には、冷却水より温度が低い外気が流れるから、冷却水は熱交換器３２において外気によって冷却される。よって、冷熱機器４は、冷却水を加熱することにより、高い外気温度においても外気への放熱を可能とする。外気によって冷却された冷却水は、蒸発器４４によってさらに冷却された後に、熱交換器３１に供給される。この結果、電池２の熱が外気に放熱され、電池２の過剰な温度上昇が回避される。この構成では、冷熱機器４によって供給される冷熱が電池２の温度を調節するために利用される。
【００４１】
図４は、第１実施形態の作動状態を示すブロック図である。図中には、各部の温度が例示されている。制御装置５は、電池２を暖めるための熱を冷熱機器４が外気から汲み上げることができるとき、すなわち外気の温度が第３温度帯にあるとき、第１の加熱運転を実行する。制御装置５は、圧縮機４１を作動させることによって冷熱機器４を作動させるとともに、ポンプ３３を第２方向に回転させる。冷却水の循環方向は、冷却水が熱交換器３１、蒸発器４４、熱交換器３２、放熱器４２の順に流れる第２方向である。このとき、熱交換器３１から出た冷却水は、蒸発器４４によってさらに冷却された後に、熱交換器３２に供給される。熱交換器３２には、冷却水より温度が高い外気が流れるから、冷却水は熱交換器３２において外気によって加熱される。よって、冷熱機器４は、冷却水を冷却することにより、低い外気温度においても外気からの熱の汲み上げを可能とする。外気によって加熱された冷却水は、放熱器４２によってさらに加熱された後に、熱交換器３１に供給される。さらに、制御装置５は、冷却水の一部がバイパス通路３５を通るように三方弁３６を制御することができる。これにより、三方弁３６の下流における冷却水の温度が調節される。この構成では、冷熱機器４によって外気から汲み上げられる熱と、冷熱機器４によって供給される温熱とが電池２の温度を調節するために利用される。
【００４２】
図５は、第１実施形態の作動状態を示すブロック図である。図中には、各部の温度が例示されている。制御装置５は、電池２を暖めるための熱を冷熱機器４が外気から汲み上げることができないとき、すなわち外気の温度が第４温度帯にあるとき、第２の加熱運転を実行する。制御装置５は、冷熱機器４を作動させるとともに、ポンプ３３を第２方向に回転させる。ポンプ３３の送水方向は、第２方向である。さらに、制御装置５は、熱交換器３２をバイパスするように三方弁３６を制御する。このとき、熱交換器３１から出た冷却水は、蒸発器４４によってさらに冷却された後に、熱交換器３２をバイパスして、放熱器４２に供給される。熱交換器３２には、冷却水と温度が等しいか、または低い外気が流れている。よって、冷却水の温度低下を回避するために、熱交換器３２がパイパスされる。冷却水は、放熱器４２によって加熱された後に、熱交換器３１に供給される。この構成では、冷熱機器４によって供給される温熱が電池２の温度を調節するために利用される。
【００４３】
図６は、第１実施形態の作動状態を示すブロック図である。図中には、各部の温度が例示されている。制御装置５は、電池２を暖めるための熱を冷熱機器４だけでは供給できないとき、すなわち外気の温度が第５温度帯にあるとき、第３の加熱運転を実行する。制御装置５は、冷熱機器４を作動させるとともに、ポンプ３３を第２方向に回転させる。制御装置５は、熱交換器３２をバイパスするように三方弁３６を制御する。さらに、制御装置５は、熱源装置３７に通電し活性化することにより熱源装置３７によって冷却水を加熱する。このとき、熱交換器３１から出た冷却水は、蒸発器４４によってさらに冷却された後に、熱交換器３２をバイパスして、熱源装置３７に供給される。冷却水は、熱源装置３７によって加熱された後に、さらに放熱器４２によって加熱され、その後に、熱交換器３１に供給される。この構成では、冷熱機器４によって供給される温熱と、熱源装置３７によって供給される温熱とが、電池２の温度を調節するために利用される。
【００４４】
この実施形態によると、車両への搭載が容易な、簡単な構成の車両用温度調節装置１が提供される。この実施形態によると、一次系統３による電池（熱負荷）２からの放熱と、冷熱機器４による電池２の冷却と、冷熱機器４による電池２の加熱との３つの運転状態を提供することができる。この実施形態によると、冷熱機器４の高温側の熱交換器４２と低温側の熱交換器４４との両方が一次系統３の冷却水（熱輸送媒体）と熱交換するように配置されている。車両用温度調節装置１は、単一の外気用の熱交換器を備える。このため、構成が簡単である。また、車両への搭載作業が容易になる。
【００４５】
また、高温側の熱交換器４２と低温側の熱交換器４４とが、一次系統３における電池２のための熱交換器３１の両側に配置されている。さらに、一次系統３における冷却水の流れ方向が切換え可能に構成されている。このため、簡単な構成で電池２の冷却と、電池２の加熱とを切換えることができる。
【００４６】
（第２実施形態）
図７は、本発明を適用した第２実施形態に係る車両用温度調節装置２０１を示すブロック図である。上記実施形態では、熱源装置３７を設けることにより第３の加熱運転を提供した。これに代えて、熱源装置３７を設けず、第３の加熱運転を実行しない車両用温度調節装置２０１を採用することができる。
【００４７】
（第３実施形態）
図８は、本発明を適用した第３実施形態に係る車両用温度調節装置３０１を示すブロック図である。上記実施形態では、バイパス通路３５を設けることにより第２の加熱運転と第３の加熱運転とを提供した。これに代えて、バイパス通路３５を設けず、第２および第３の加熱運転を実行しない車両用温度調節装置３０１を採用することができる。この構成においては、第２の加熱運転に代えて、送風機３２ａを停止する運転を実行してもよい。具体的には、具体的には、制御装置５は、電池２を暖めるための熱を冷熱機器４が外気から汲み上げることができるとき、すなわち外気の温度が第３温度帯にあるとき、送風機３２ａを作動させる。そして、制御装置５は、電池２を暖めるための熱を冷熱機器４が外気から汲み上げることができないとき、すなわち外気の温度が第４温度帯にあるとき、送風機３２ａを停止させる。
【００４８】
（第４実施形態）
図９は、本発明を適用した第４実施形態に係る車両用温度調節装置４０１を示すブロック図である。上記実施形態では、主ユニット６と熱交換器ユニット７とを構成して、装置を車両に搭載した。これに代えて、この実施形態では、複数の構成要素をユニット化することなく、車両に分散して搭載する。
【００４９】
（第５実施形態）
図１０は、本発明を適用した第５実施形態に係る車両用温度調節装置５０１を示すブロック図である。上記実施形態では、冷熱機器４は、基本的な構成をもつ冷凍サイクルであった。これに代えて、ホットガスバイパス機能を有する冷凍サイクルからなる冷熱機器５０４を採用することができる。冷熱機器５０４は、放熱器４２を出た冷媒を、蒸発器４４を通すことなく圧縮機４１の吸入側に直接的に戻すホットガスバイパス装置５４５を備える。ホットガスバイパス装置５４５は、ホットガスバイパス通路と、その通路を開閉する弁とを備えることができる。この構成では、制御装置５は、加熱運転において、冷熱機器５０４がホットガスサイクルとして運転されるようにホットガスバイパス装置５４５を制御する。
【００５０】
（第６実施形態）
図１１は、本発明を適用した第６実施形態に係る車両用温度調節装置６０１を示すブロック図である。上記実施形態では、温度調節の対象、すなわち熱負荷は、電池２であった。これに代えて、温度調節が必要な種々の機器を熱負荷として採用することができる。例えば、図示の例においては、車両用温度調節装置６０１は、室内の空気の温度を調節する。すなわち、車両用温度調節装置６０１の熱負荷は、空調装置（ＨＶＡＣ）６０２である。
【００５１】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００５２】
例えば、上記実施形態では、熱負荷として電池２および／または空調装置を採用した。これに代えて、車両に搭載された種々の機器の温度を調節するように構成してもよい。例えば、電池２に代えて、燃料電池を採用することができる。
【００５３】
また、上記実施形態では、冷熱機器４として蒸気圧縮式の冷凍サイクルを採用した。これに代えて、ペルチェ効果を利用した熱電効果型の冷凍装置を採用してもよい。また、磁気熱量効果素子を利用した磁気熱量効果型の冷凍装置を採用してもよい。
【００５４】
また、上記実施形態では、熱交換器３２を通過する冷却水の流量を調節する三方弁３６を設けた。これに代えて、熱交換器３１をバイパスする通路を設け、この熱交換器３１を通過する流量を調節する弁装置を採用してもよい。この場合、熱負荷と冷却水との間の熱交換量が調節される。
【００５５】
また、上記実施形態では、熱源装置３７として電気的なヒータを採用した。これに代えて、車両に搭載された種々の発熱機器を用いることができる。例えば、電動機への電力を制御するインバータ回路を熱源装置３７としてもよい。また、熱源装置３７は、バイパス通路３５に代えて、循環路３４に設けてもよい。
【００５６】
また、上記実施形態では、熱交換器３１の一方に高温側の熱交換器４２を設け、他方に低温側の熱交換器４４を設けるとともに、双方向型の電動のポンプ３３を採用することにより、冷却運転と暖気運転とを切換えた。これに代えて、種々の切換装置を採用することができる。例えば、ポンプ３３に代えて、第１方向専用のポンプと、第２方向専用のポンプとを並列に接続し、それらポンプを切換えて運転してもよい。また、熱交換器３１の入口と出口とを入れ替える弁機構を設けてもよい。いずれの構成においても、切換装置は、熱交換器４２により加熱された熱輸送媒体を熱交換器３１へ供給する運転状態と、熱交換器４４により冷却された熱輸送媒体を熱交換器３１へ供給する運転状態とを切換える。
【００５７】
また、上記実施形態では、ひとつの熱負荷、例えば電池２、または空調装置６０２の温度を調節する装置を説明した。これに代えて、複数の熱負荷の温度を調節するように車両用温度調節装置を構成してもよい。例えば、電池２と空調装置６０２とを並列に接続してもよい。また、一次系統３において得られる低温の冷却水を冷房に利用するように空調用熱交換器を設けてもよい。また、一次系統３において得られる高温の冷却水を暖房に利用するように空調用熱交換器を設けてもよい。
【００５８】
また、制御装置が提供する手段と機能は、ソフトウェアのみ、ハードウェアのみ、あるいはそれらの組合せによって提供することができる。例えば、制御装置をアナログ回路によって構成してもよい。
【符号の説明】
【００５９】
１、２０１、３０１、４０１、５０１、６０１  車両用温度調節装置、  ２  電池（熱負荷）、  ３  一次系統、  ３１  熱負荷用の熱交換器、  ３２  外気用の熱交換器、  ３２ａ  送風機、  ３３  ポンプ、  ３４  循環路、  ３５  バイパス通路、  ３６  三方弁、  ３７  熱源装置、  ４  二次系統（冷熱機器、冷凍サイクル）、  ４１  圧縮機、  ４２  放熱器（高温側の熱交換器）、  ４３  減圧器、  ４４  蒸発器（低温側の熱交換器）、  ５  制御装置、  ６  主ユニット、  ７  熱交換器ユニット、  ５０４  二次系統（冷熱機器、冷凍サイクル）、  ５４５  ホットガスバイパス装置、  ６０２  空調装置（熱負荷）。
【図１】
0005589967.tif 000002
【図２】
0005589967.tif 000003
【図３】
0005589967.tif 000004
【図４】
0005589967.tif 000005
【図５】
0005589967.tif 000006
【図６】
0005589967.tif 000007
【図７】
0005589967.tif 000008
【図８】
0005589967.tif 000009
【図９】
0005589967.tif 000010
【図１０】
0005589967.tif 000011
【図１１】
0005589967.tif 000012